(57)【要約】【課題】  真珠核挿入後脱核を防止する薬剤等の脱核防止に有効な成分及びその供与方法。【解決手段】  本発明により、真珠養殖時の真珠核挿入後の脱核率を減少させるために、核入れ手術に伴う傷より侵入する病原性細菌等の活性を抑える抗菌性物質、消炎作用等にも有効な免疫抑制剤及び生体機能の早期回復を促す水溶性ビタミンより選ばれる少なくとも１種類の薬剤を液状油脂に混合した注射剤を貝に注射することにより、その薬剤を貝に確実に与えることができ、その結果として、核入れ手術による傷を早期に治癒し、顕著な脱核防止効果を観ることができた。【選択図】  なし【特許請求の範囲】
【請求項１】
真珠養殖において、少なくとも１種類の薬剤及び微粉二酸化ケイ素を液状油脂に均一に混合分散した、脱核防止に有効な脱核防止油性注射剤。
【請求項２】
薬剤が抗菌性物質、免疫抑制剤及び水溶性ビタミンより選ばれる少なくとも２種類の薬剤であることを特徴とする請求項１の脱核防止油性注射剤。
【請求項３】
薬剤である抗菌性物質がマクロライド系抗生物質及び/又はテトラサイクリン系抗生物質であることを特徴とする請求項１及び請求項２の脱核防止油性注射剤。
【請求項４】
液状油脂が植物油であることを特徴とする請求項1、請求項２及び請求項３の脱核防止油性注射剤
【発明の詳細な説明】
【技術分野】
【０００１】
本発明は、真珠養殖における核入れ作業後に生じる真珠核の吐き出し（脱核）防止及び貝の死亡を防止する脱核防止注射剤に関する。
【背景技術】
【０００２】
現在の真珠養殖は、母貝を抑制した後母貝に真珠核を入れその真珠核に真珠層が形成された後真珠を収穫するが、この真珠核を母貝に入れる核入れ作業後脱核したり、貝自体が死亡することにより真珠形成に至らないことが発生していた。
【０００３】
この脱核あるいは死亡の原因は、真珠核挿入作業の母貝に対してメスを使用し手術を行うことによる母貝への傷、真珠核挿入作業によるストレス及び／又は貝にとっては異物である真珠核の強制的な挿入にある。つまり、挿核手術における傷周辺での炎症、病原性細菌等の増殖または生体機能の回復の遅れ等により、脱核あるいは死亡が起こると考えられる。
【０００４】
その脱核率の低下あるいは死亡率の低下する技術として、傷より進入する病原性細菌等の活性を抑えることができれば脱核及び死亡を減少さすことが可能だという考えより、挿入する真珠核の表面に抗生物質（オキシテトラサイクリン）をコーティングし、挿入後貝内部で抗生物質が溶出することにより貝体内に吸収され、真珠核挿入時の手術による傷口より侵入した病原性菌等の活性を押さえ、核入れ手術に伴う傷が早期治癒することにより真珠核の吐き出しを減少させようとする技術が存在する。また、注射剤として一般的な水性注射剤として貝に注射することも考えられてきた。
【０００５】
しかし、真珠核表面にコーティングした抗生物質では容易に溶け出し、貝に吸収される前に貝の外に流出し利用されず、水性注射剤ではあまりにも貝の薬剤吸収が早く短期間でその効果がなくなることなどにより、多少の脱核防止効果は観られるものの十分な効果が上がっていないのが現状である。
【特許文献１】特開平３−８７１２８号
【発明の開示】
【発明が解決しようとする課題】
【０００６】
解決しようとする問題点は、真珠核挿入後脱核を防止する薬剤等の脱核防止に有効な成分及びその有効成分を確実に且つ長期間徐々に貝に吸収させる方法である。
【課題を解決するための手段】
【０００７】
本発明者は、薬剤は水と接触すると分解しやすくその薬剤効果が減少することが一般的であること及び油性の薬剤にすることにより有効成分を長期間徐々に供与できると考え、薬剤を、特許第3300926号にある液である微粉二酸化ケイ素を水を含有しない液状油脂に混合した液に、溶解及び/又は均一分散さすことにより、長期保存においても薬剤の分解減少及び分散した薬剤に沈殿の観られない油性の注射剤とし、その注射剤を貝に注射することにより、脱核率を低下させることを見出した。つまり本発明は、（１）：真珠養殖において、少なくとも１種類の薬剤及び微粉二酸化ケイ素を液状油脂に均一に混合分散した、脱核防止に有効な脱核防止油性注射剤、（２）：薬剤が抗菌性物質、免疫抑制剤及び水溶性ビタミンより選ばれる少なくとも２種類の薬剤であることを特徴とする請求項１の脱核防止油性注射剤、（３）：薬剤である抗菌性物質がマクロライド系抗生物質及び/又はテトラサイクリン系抗生物質であることを特徴とする請求項１及び請求項２の脱核防止油性注射剤、（４）：液状油脂が植物油であることを特徴とする請求項1、請求項２及び請求項３の脱核防止油性注射剤、に関する。
【発明の効果】
【０００８】
真珠核挿入後の脱核率の減少を目的として鋭意研究した結果、核入れ手術に伴う傷より侵入する病原性細菌等の活性を抑える抗菌性物質及び／又は消炎作用等にも有効な免疫抑制剤及び/又は生体機能の早期回復を促す水溶性ビタミンなどの薬剤を含む油性の注射剤を貝に注射することにより、その薬剤を確実に且つ油性にしたことにより徐々に貝に与えることができた。その結果として、核入れ手術による傷を早期に治癒し且つ長期にわたり薬剤の効果を持続することができ、脱核率を減少さすことができただけでなく、母貝の死亡率の低下及び養殖真珠品質向上効果もみられ本発明を完成するに至った。
【発明を実施するための最良の形態】
【０００９】
脱核率減少に有効な成分としては抗生物質及び合成抗菌剤等の抗菌性物質、水溶性ビタミン類、免疫抑制剤及びその他有効成分等が考えられる。
【００１０】
その抗生物質としてはアミノグリコシド系として硫酸カナマイシン等、グリコペプチド系としてバンコマイシン等、テトラサイクリン系としてオキシテトラサイクリン等、ペニシリン系としてアンピシリン等、マクロライド系としてエリスロマイシン等、リンコマイシン系としてリンコマイシン等及びクロラムフェニコール類、ホスホマイシン類などが挙げられる。
【００１１】
合成抗菌剤としてはサルファー剤としてスルファモノメトキシン、スルファキノキサリン等、チアンフェニコール、オキソリン酸、フロルフェニコールなどが挙げられる。その抗菌性物質の含有量は、0.01〜40重量％、好ましくは0.05〜30重量％の範囲で選ばれる。
【００１２】
水溶性ビタミンとしてはビタミンＣ、ビタミンＢ1、ビタミンＢ2、ビタミンＢ6、ビタミンＫ、パントテン酸、ニコチン酸、ビオチンなどが挙げられる。その含有量は、0.001〜40重量％、好ましくは0.005〜30重量％の範囲で選ばれる。
【００１３】
免疫抑制剤としてはステロイドホルモン剤のコルチゾン、プレドニゾロン、デキサメタゾン、抗生物質のマイトマイシンC、アクチノマイシンD、アルキル化剤のシクロホスファミド、プリン拮抗剤のアザチオプリンなどが挙げられる。その含有量は、0.001〜10重量％、好ましくは0.005〜5重量％の範囲で選ばれる。
【００１４】
その他有効成分としてはアミノ酢酸、アラニン、アルギニン、リジン、グルタミン酸ナトリウム、トリプトファン、トレオニン、バリン、メチオニンなどのアミノ酸、ブドウ糖、ニンニクエキス、ウコンエキス、タウリンなどが挙げられる。更にビタミンＡ、ビタミンＥなどの水溶性以外のビタミンなども混合できる。その他界面活性剤などの分散剤及び安定剤等を混合することができる。
【００１５】
その液状油脂としては、トウモロコシ油、なたね油、ダイズ油、オリーブ油などの植物油があるが、水を含まない油性の液状物であればよい。
【００１６】
また、本発明の油性注射剤を使用できる貝は、アコヤ貝、シロチョウ貝、クロチョウ貝、イケチョウ貝等の真珠養殖に適する貝であれば特に制限はなく、それら貝への注射の時期は真珠核挿入前、挿入時及び／又は挿入後にいずれの時期でも良いが、望ましくは真珠核挿入時が良い。貝部位への注射は貝柱、中腸腺又は生殖腺などいずれでも可能であるが、望ましくは貝柱に注射を行う。
【実施例】
【００１７】
以下に実施例を挙げて詳しく説明するが、本発明はこれらに限定されるものではない。
注射剤の調製：（１）オキシテトラサイクリン  5.0ｇ、（２）ビタミンＢ1  0.1ｇ、（３）ビタミンＢ2  0.1ｇ、（４）ビタミンＣ  10.0ｇ、（５）ビタミンＥ 5.0ｇ、（６）プレドニゾロン  0.1ｇ、（７）ブドウ糖  5.0ｇ、（８）グリセリン脂肪酸エステル  1.0ｇ、（９）微粉二酸化ケイ素10.0ｇ、（10）植物油  残量、（９）を（10）に入れ均一に分散した液に（１）〜（８）を入れ混合器で均一に混合分散することにより脱核防止油性注射剤１kgを得た。その注射剤の有効成分について、経時的な残存率の変化及び沈殿の有無を調べた（保存条件：40℃、75％ＲＨ）。結果を表１に示す。
【００１８】
アコヤ貝への注射：調整した注射剤を核入れ工程時に注射器（水産用注射器アクアピスター、富士平工業社製）を用い0.1ｍLを貝柱に注射し、2ヶ月後の母貝の死亡及び真珠核の脱核防止効果を確認した。（比較例）真珠核として、オキシテトラサイクリンをコートした真珠核を貝に入れ、母貝の死亡及び真珠核の脱核について実施例と比較した。結果を表２に示す。
【００１９】
【表１】
2005229861.tif 000002
【００２０】
【表２】
2005229861.tif 000003
【００２１】
第１表から明らかなように、本発明の実施例の油性注射剤に含有する有効成分は残存率に減少は観られず、また、長期間沈殿も観られず極めて安定な注射剤であることがわかった。
【００２２】
また第２表から明らかなように、本発明の実施例の油性注射剤は比較例と比較し、脱核率で60％の減少及び死亡率で38％の減少が観られ、真珠収穫率で20％多く収穫でき本発明は真珠養殖に大きな貢献をするものと確認した。